(57)【特許請求の範囲】
【請求項１】
縦方向および横方向と、身体側およびその反対側と、前ウエスト域、後ウエスト域および前記前後ウエスト域間に位置するクロッチ域を含むシャーシと、前記クロッチ域から前記前後ウエスト域へと延びる吸液構造体と、前記前後ウエスト域に前記横方向に伸長状態で収縮可能に取り付けられたウエスト弾性体とを含み、前記シャーシは、前記横方向に延びる前後ウエスト端縁と、前記縦方向に延びる両側縁とを有し、前記前後ウエスト域の前記両側縁が互いに接合されて、前記前後ウエスト端縁によって、環状のウエスト開口を形成し、前記クロッチ域の前記両側縁によって一対のレッグ開口が形成される着用物品において、
前記前後ウエスト端縁と前記吸液構造体の構造体前後端縁とは、離間して取り付けられ、これら離間寸法は、前記前後ウエスト域で等しくされ、
前記前後ウエスト域に重なる前記吸液構造体の前記縦方向長さ寸法は、前記前後ウエスト域の前記縦方向長さ寸法の７０〜９８％であり、前記前後ウエスト域は、前記前後ウエスト端縁から前記クロッチ域側へと延びるとともに少なくとも前記吸液構造体の一部に重なる第１領域と、前記第１領域に隣接する第２領域とを含み、前記第１領域には、前記横方向に延びる複数本の第１ウエスト弾性体が伸長状態で収縮可能に取り付けられるとともに、前記第１ウエスト弾性体は、前記構造体前後端部とは離間して取り付けられ、
前記第１領域の伸張応力は、前記第２領域のそれよりも小さくされることを特徴とする前記着用物品。
【請求項２】
前記第２領域には、前記横方向に延びる複数本の第２ウエスト弾性体が伸長状態で収縮可能に取り付けられ、前記第１ウエスト弾性体の太さは、前記第２ウエスト弾性体よりも細く、かつ、前記第１ウエスト弾性体の伸長率は、前記第２ウエスト弾性体のそれよりも大きくされる請求項１記載の着用物品。
【請求項３】
前記吸液構造体は、吸液性のコアと、前記コアを覆う被覆シートと、前記コアのコア前後端縁の前記縦方向外側に位置し前記被覆シートによって形成される前後フラップとを有し、前記第１ウエスト弾性体の少なくとも一部は前記前後フラップに重なって取り付けられる請求項１または２記載の着用物品。
【請求項４】
前記第１領域の伸張応力は、前記第２領域の伸張応力の７０〜９０％である請求項１〜３のいずれかに記載の着用物品。
【請求項５】
前記前後ウエスト域は、前記第２領域の前記クロッチ域側に隣接する第３領域を含み、前記前後ウエスト域は、前記第１領域、第２領域および第３領域によって区画されるとともに、前記第３領域の伸張応力は、前記第２領域のそれよりも小さくされる請求項１〜４のいずれかに記載の着用物品。
【請求項６】
前記第２領域の伸張応力は、前記第３領域のそれよりも１５〜５０％大きくされる請求項１〜５のいずれかに記載の着用物品。
【請求項７】
前記クロッチ域には、前記縦方向に延びるとともに前記横方向に離間する一対のガスケットカフを有し、前記ガスケットカフには、前記縦方向に延びるとともに、伸長状態で収縮可能なガスケットカフ弾性体が取り付けられ、前記ガスケットカフ弾性体は、最も前記クロッチ域側に位置する前記前後ウエスト弾性体から離間して取り付けられる請求項１〜６のいずれかに記載の着用物品。
【請求項８】
最も前記クロッチ域側に位置する前記前後ウエスト弾性体と前記ガスケットカフ弾性体の端部との離間寸法は、それぞれ１〜２５ｍｍとされる請求項７記載の着用物品。
【発明の詳細な説明】
【技術分野】
【０００１】
この発明は、着用物品に関し、さらに詳しくは使い捨てのおむつ、排泄トレーニングパンツ、失禁ブリーフ等の着用物品に関する。
【背景技術】
【０００２】
従来、ウエスト開口部およびレッグ開口部が形成され、ウエスト開口部の周縁部が着衣側に折り返すことができる使い捨ておむつが知られている。例えば、特許文献１によれば、おむつのウエスト開口部に、エラストマーやウレタンフォーム等によって形成された高摩擦性部材が取り付けられ、この高摩擦性部材の下端部に沿ってウエスト開口部が折り返される。すなわち、高摩擦性部材を折返しの案内線とすることができる。
【先行技術文献】
【特許文献】
【０００３】
【特許文献１】特開２００３−３０５０８３号公報（ＪＰ  ２００３−３０５０８３  Ａ）
【発明の概要】
【発明が解決しようとする課題】
【０００４】
ウエスト開口部に高摩擦性部材が取り付けられることによって、ウエスト開口部全体の剛性が増大し、おむつの着用感が悪化する可能性がある。高摩擦性部材を取り付けない場合には、ウエスト開口部の折返しの案内線が形成されなくなるので、ウエスト開口部を折り曲げにくい。
【０００５】
この発明は、ウエスト開口近傍の剛性を増大させることなく、横方向に延びる折曲線に沿って容易に折り曲げることができる着用物品を提供することを課題とする。
【課題を解決するための手段】
【０００６】
この発明は、縦方向および横方向と、身体側およびその反対側と、前ウエスト域、後ウエスト域および前記前後ウエスト域間に位置するクロッチ域を含むシャーシと、前記クロッチ域から前記前後ウエスト域へと延びる吸液構造体と、前記前後ウエスト域に前記横方向に伸長状態で収縮可能に取り付けられたウエスト弾性体とを含み、前記シャーシは、前記横方向に延びる前後ウエスト端縁と、前記縦方向に延びる両側縁とを有し、前記前後ウエスト域の前記両側縁が互いに接合されて、前記前後ウエスト端縁によって、環状のウエスト開口を形成し、前記クロッチ域の前記両側縁によって一対のレッグ開口が形成される着用物品の改良に関わる。
【０００７】
この発明は、前記着用物品において、前記前後ウエスト端縁と前記吸液構造体の構造体前後端縁とは、離間して取り付けられ、これら離間寸法は、前記前後ウエスト域で等しくされ、前記前後ウエスト域に重なる前記吸液構造体の前記縦方向長さ寸法は、前記前後ウエスト域の前記縦方向長さ寸法の７０〜９８％であり、前記前後ウエスト域は、前記前後ウエスト端縁から前記クロッチ域側へと延びるとともに少なくとも前記吸液構造体の一部に重なる第１領域と、前記第１領域に隣接する第２領域とを含み、前記第１領域には、前記横方向に延びる複数本の第１ウエスト弾性体が伸長状態で収縮可能に取り付けられるとともに、前記第１ウエスト弾性体は、前記構造体前後端部とは離間して取り付けられ、前記第１領域の伸張応力は、前記第２領域のそれよりも小さくされることを特徴とする。
【０００８】
この発明の実施態様のひとつとして、前記第２領域には、前記横方向に延びる複数本の第２ウエスト弾性体が伸長状態で収縮可能に取り付けられ、前記第１ウエスト弾性体の太さは、前記第２ウエスト弾性体よりも細く、かつ、前記第１ウエスト弾性体の伸長率は、前記第２ウエスト弾性体のそれよりも大きくされる。
【０００９】
他の実施態様のひとつとして、前記吸液構造体は、吸液性のコアと、前記コアを覆う被覆シートと、前記コアのコア前後端縁の前記縦方向外側に位置し前記被覆シートによって形成される前後フラップとを有し、前記第１ウエスト弾性体の少なくとも一部は前記前後フラップに重なって取り付けられる。
【００１０】
他の実施態様のひとつとして、前記第１領域の伸張応力は、前記第２領域の伸張応力の７０〜９０％である。
【００１１】
他の実施態様のひとつとして、前記前後ウエスト域は、前記第２領域の前記クロッチ域側に隣接する第３領域を含み、前記前後ウエスト域は、前記第１領域、第２領域および第３領域によって区画されるとともに、前記第３領域の伸張応力は、前記第２領域のそれよりも小さくされる。
【００１２】
他の実施態様のひとつとして、前記第２領域の伸張応力は、前記第３領域のそれよりも１５〜５０％大きくされる。
【００１３】
他の実施態様のひとつとして、前記クロッチ域には、前記縦方向に延びるとともに前記横方向に離間する一対のガスケットカフを有し、前記ガスケットカフには、前記縦方向に延びるとともに、伸長状態で収縮可能なガスケットカフ弾性体が取り付けられ、前記ガスケットカフ弾性体は、最も前記クロッチ域側に位置する前記前後ウエスト弾性体から離間して取り付けられる。
【００１４】
他の実施態様のひとつとして、最も前記クロッチ域側に位置する前記前後ウエスト弾性体と前記ガスケットカフ弾性体の端部との離間寸法は、それぞれ１〜２５ｍｍとされる。
【発明の効果】
【００１５】
この発明は、特にそのひとつ以上の実施態様によれば、前後ウエスト域は、前後ウエスト端縁からクロッチ域側へと延びるとともに少なくとも吸液構造体の一部に重なって横方向に弾性化された第１領域と、第１領域に隣接して横方向に弾性化された第２領域とを含み、第１領域の伸張応力は、前記第２領域のそれよりも小さくされることとしているので、第１領域は容易に横方向に伸長させることができる。このような第１領域は、吸液構造体の構造体前後端縁に沿って折れ曲がりやすくなり、ウエスト開口部近傍の剛性を大きくすることなく、前後ウエスト域を折り曲げることができる。
【図面の簡単な説明】
【００１６】
【図１】着用物品の一例である使い捨ておむつの斜視図。
【図２】おむつの身体側から見た展開平面図。
【図３】図２のＩＩＩ−ＩＩＩ線断面図。
【図４】図２のＩＶ−ＩＶ線断面図。
【図５】図２の分解組立図。
【図６】おむつを着用させる際の参考図。
【図７】おむつを着用させる際の参考図。
【発明を実施するための形態】
【００１７】
図１〜５は、この発明の第１の実施態様を示すものであり、着用物品として使い捨ておむつを例に挙げて説明する。
【００１８】
図１は、おむつ１０のウエスト開口１５およびレッグ開口１６が環状に保たれた状態の斜視図であり、図２は、おむつ１０の身体側から見た展開平面図であって、おむつの各弾性体をその収縮力に抗して伸長させ、おむつ１０を平面に保った状態を示したものであり、図３は、図２のＩＩＩ−ＩＩＩ線断面図、図４は、図２のＩＶ−ＩＶ線断面図、図５は、図２の分解組立図である。図３および図４において、仮想縦中心線Ｐ−Ｐよりも図の右側は、各弾性体が収縮した状態を表している。
【００１９】
おむつ１０は、縦方向Ｙおよび横方向Ｘと、身体側およびその反対側である着衣側と、前ウエスト域１１、後ウエスト域１２、前後ウエスト域１１，１２の間に位置するクロッチ域１３とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐおよび仮想横中心線Ｑ−Ｑに対してほぼ対称に形成されている。
【００２０】
おむつ１０は、縦方向Ｙに互いに離間する前後ウエスト部材２０，３０と、これら前後ウエスト部材２０，３０をつなぐクロッチ部材４０とを含む。前後ウエスト部材２０，３０は、横方向Ｘに離間する両側縁２１，３１を互いに接合してシーム部１４を形成している。シーム部１４によって、ウエスト開口１５および一対のレッグ開口１６が形成される。また、シーム部１４が縦方向Ｙに延びる領域が前後ウエスト域１１，１２とされている。前後ウエスト部材２０，３０は、横方向Ｘに延びるとともに、ウエスト開口１５を形成する前後ウエスト端縁２２，３２と、クロッチ域１３側に位置しレッグ開口１６の一部を形成する前後クロッチ端縁２３，３３とを含む。前後ウエスト部材２０，３０は、身体側に位置する内面シート２４，３４と、着衣側に位置する外面シート２５，３５とをそれぞれ含む。
【００２１】
前後ウエスト部材２０，３０およびクロッチ部材４０の一部によって、この発明のシャーシを形成している。
【００２２】
クロッチ部材４０は、吸液構造体４１と、ガスケットカフ５０と、漏れバリアカフ６０とを含む。吸液構造体４１は、吸液性のコア４２と、コア４２を覆う被覆シートとして、その吸収面を覆う吸収面シート４３と、コア４２の底面を覆う底面シート４５と、コア４２の底面と底面シート４５との間に位置する漏れ防止シート４４とを含む。コア４２としては、ティッシュペーパーや繊維不織布等の透液性のシートで覆われた、フラッフパルプや高吸収性ポリマー粒子、またはこれらの混合物等を用いることができる。このようなコア４２は、横方向Ｘの長さ寸法が仮想横中心線Ｑ−Ｑに向かって小さくなってくびれた形状を有している。
【００２３】
コア４２は、その縦方向Ｙの長さ寸法を約３００〜４１０ｍｍ、好ましくは約３１０〜３８０ｍｍとされている。吸収面シート４３および漏れ防止シート４４は、コア４２の縦方向Ｙの長さ寸法よりも大きく、その寸法を約３５０〜４５０ｍｍ、好ましくは約３７０〜４３０ｍｍとされている。このような吸液構造体４１には、コア４２の縦方向Ｙ外側において、吸収面シート４３、漏れ防止シート４４および底面シート４５のみで形成された前後フラップ４６，４７が形成される。これら前後フラップ４６，４７において、吸収面シート４３、漏れ防止シート４４および底面シート４５は、ホットメルト接着剤等の接着手段によって互いに接合されている。この実施態様において、前後フラップ４６，４７の縦方向Ｙの長さ寸法、すなわち、構造体前後端縁４１ａ，４１ｂからコア前後端縁４２ａ，４２ｂまでの離間寸法は約３０ｍｍとされている。なお、コア４２の透液性のシートが、コア前後端縁４２ａ，４２ｂから延出している場合もあり、その場合には、前後フラップ４６，４７に透液性シートが含まれることもある。
【００２４】
吸収面シート４３として、透液性の繊維不織布等を用いることができる。この吸収面シート４３は、例えば、単位面積当たりの質量が約１０〜２５ｇ／ｍ２のエアースルー繊維不織布、ポイントボンド繊維不織布、スパンボンド繊維不織布等を用いることができる。
【００２５】
漏れ防止シート４４として、不透液性のプラスチックフィルムを用いることができ、少なくともこのシート４４でコア４２の底面を覆って、尿等の体液がおむつ１０外に漏れないようにしている。
【００２６】
底面シート４５は、透湿性かつ不透液性の繊維不織布等を用いることができる。この底面シート４５は、例えば、単位面積当たりの質量が約１０〜２５ｇ／ｍ２のスパンボンド・メルトブローン・スパンボンド（ＳＭＳ）繊維不織布、ポイントボンド繊維不織布、スパンボンド繊維不織布等を用いることができる。
【００２７】
コア４２の横方向Ｘ外側には、これらコア４２から延出した吸収面シート４３、漏れ防止シート４４および底面シート４５によってガスケットカフ５０が形成されている。これらシートは、ホットメルト接着剤等の接着手段によって互いに接合されている。ガスケットカフ５０において、底面シート４５で形成されたスリーブ内には、縦方向Ｙに延びるガスケットカフ弾性体５１が取り付けられている。ガスケットカフ弾性体５１は、複数の弾性糸によって構成され、伸長状態で収縮可能に取り付けられている。ガスケットカフ弾性体５１としては、約６２０ｄｔｅｘの弾性糸を用い、伸長率約２８０％で取り付けることができる。
【００２８】
漏れバリアカフ６０は、ガスケットカフ５０から延出した底面シート４５が吸液構造体４１上でほぼＺ字状に折り畳まれることによって形成される。折り畳まれた底面シート４５の間には、複数の弾性糸から構成されるバリアカフ弾性体６１が、縦方向Ｙに延びるとともに、伸長状態で収縮可能に取り付けられている。漏れバリアカフ６０は、縦方向Ｙの前後端部のみがガスケットカフ５０側に接合され、その他の領域では接合されていない。したがって、バリアカフ弾性体６１の収縮力によって、ガスケットカフ５０から起立するように離間する。
【００２９】
ガスケットカフ５０および漏れバリアカフ６０は、図３の右側に示したように、おむつ１０の着用時には、漏れバリアカフ６０が吸収面シート４３から離間するように起立して、着用者の脚の付け根近傍に密着するとともに、ガスケットカフ５０もガスケットカフ弾性体５１によって、縦方向Ｙに弾性化され、着用者側へ湾曲するようにしてこれを着用者の太股の周囲に密着させることができる。したがって、漏れバリアカフ６０とガスケットカフ５０とによって二重のカフを形成し、脚回りからの尿等の漏れを防止することができる。
【００３０】
底面シート４５は、前後ウエスト部材２０，３０の内面シート２４，３４に接合され、前後ウエスト部材２０，３０とクロッチ部材４０とが連結される。クロッチ部材４０の吸液構造体４１は、前後ウエスト域１１，１２に重なって取り付けられる。前後ウエスト域１１，１２に重なった吸液構造体４１の縦方向Ｙの長さ寸法は、前後ウエスト域１１，１２の縦方向Ｙの長さ寸法の約７０〜９８％、好ましくは約８０〜９６％、より好ましくは約９０〜９６％とすることができる。前後ウエスト端縁２２，３２から吸液構造体４１の構造体前後端縁４１ａ，４１ｂまでの離間寸法ｔ１は、約５〜２５ｍｍ、好ましくは約１０〜２０ｍｍとされている。この実施形態では、離間寸法ｔ１は約１０ｍｍとされている。
【００３１】
前後ウエスト部材２０，３０とクロッチ部材４０とが連結された状態において、ガスケットカフ弾性体５１は、第３ウエスト弾性体８３とは重ならないように取り付けられている。すなわち、ガスケットカフ弾性体５１の前後端部５１ａ，５１ｂは、最もクロッチ域１３側に位置する第３ウエスト弾性体８３には重なることなく、これら第３ウエスト弾性体８３からそれぞれ離間して取り付けられている。これら離間寸法ｔ２は約１〜２５ｍｍ、この実施形態では約１０ｍｍとされている。
【００３２】
前後ウエスト部材２０，３０は、前後ウエスト端縁２２，３２からクロッチ域１３側へと延びるとともに、前後フラップ４６，４７に重なる第１領域７１と、第１領域７１に隣接する第２領域７２と、第２領域７２に隣接する第３領域７３とを含む。第１領域７１と第２領域７２とは、仮想線７４によって画成され、第２領域７２と第３領域７３とは、仮想線７５によって画成されている。この実施形態では、仮想線７４，７５は、隣接する各弾性体の縦方向Ｙの中間に位置している。第１〜第３領域７１〜７３は、それぞれ前後ウエスト域１１，１２に亘って環状に形成された領域である。
【００３３】
前後ウエスト部材２０，３０には、各内外面シート２４，２５，３４，３５の間において、ウエスト弾性体８０が取り付けられている。具体的には、第１〜第３ウエスト弾性体８１〜８３が、第１〜第３領域７１〜７３のそれぞれに取り付けられている。第１〜第３ウエスト弾性体８１〜８３は、一方の側縁２１，３１から他方の側縁２１，３１まで連続して延びる複数の弾性糸によって形成されている。第１〜第３ウエスト弾性帯８１〜８３を横方向Ｘに伸長状態で収縮可能に取り付けることによって、第１〜第３領域７１〜７３を横方向Ｘに弾性化している。
【００３４】
第１ウエスト弾性体８１は、約３２０〜６２０ｄｔｅｘの弾性糸を用いることができ、ピッチを約４〜１２ｍｍ、好ましくは約５〜８ｍｍとすることができる。この実施形態では、４７０ｄｔｅｘの複数の弾性糸を、約８ｍｍのピッチで縦方向Ｙに離間させて取付けている。なお、「ピッチ」とは、隣接する弾性体の中心間の距離を言う（以下、同じ）。第１ウエスト弾性体８１の伸長率は約２１０〜２７０％、この実施形態では約２４０％とされている。なお、「伸長率」において、例えば、約１００ｍｍの弾性部材が約２００ｍｍに伸ばされた場合を伸長率２００％としている（以下、同じ）。第１ウエスト弾性体８１の最もクロッチ域１３側に位置する一本は、吸液構造体４１の前後フラップ４６，４７に重なっている。第１ウエスト弾性体８１が取り付けられた第１領域７１の縦方向Ｙの長さ寸法は、約２０〜４０ｍｍ、この実施形態では約３０ｍｍとされている。第２ウエスト弾性体８２は、前後フラップ４６，４７からコア前後端縁４２ａ，４２ｂを越えて、コア４２に重なる位置に取り付けられる。
【００３５】
第２ウエスト弾性体８２は、約６２０〜１２４０ｄｔｅｘの弾性糸を用いることができ、ピッチを約４〜１２ｍｍ、好ましくは約５〜１０ｍｍとすることができる。この実施形態では、約９４０ｄｔｅｘの複数本の弾性糸を約１０ｍｍのピッチで縦方向Ｙに離間させて取り付けている。第２ウエスト弾性体８２の伸長率は約１９０〜２４０％、この実施形態では約２００％とされている。第２ウエスト弾性体８２が取り付けられた第２領域７２の縦方向Ｙの長さ寸法は、約２５〜１００ｍｍ、この実施形態では約３０ｍｍとされている。
【００３６】
第３ウエスト弾性体８３は、約３２０〜７８０ｄｔｅｘの弾性糸を用いることができ、ピッチは約４〜１２ｍｍ、好ましくは約５〜１０ｍｍとすることができる。この実施形態では、約４７０ｄｔｅｘの複数本の弾性糸を約１０ｍｍのピッチで縦方向Ｙに離間させて取り付けている。第３ウエスト弾性体８３の伸長率は約１９０〜２４０％、この実施形態では約２００％とされている。
【００３７】
上記のような前後ウエスト域１１，１２では、第１領域７１および第３領域７３の伸張応力が、第２領域７２の伸張応力よりもそれぞれ小さくなるようにしている。
【００３８】
伸張応力は、以下の方法によって測定した。
おむつ１０は、両側縁２１，３１が互いに接合された状態で第１〜第３領域７１〜７３をそれぞれ切り取り、サンプルとして用いた。各領域を切り取る際、吸液構造体４１が存在する領域では、吸液構造体４１も同時に切り取ってサンプルに含まれるようにしている。各サンプルにおいて、弾性体によって収縮した状態の一方のシーム部１４の内端から他方のシーム部１４の内端までの距離をＳＷとし、各弾性体の伸張力に抗して横方向Ｘに伸長させた状態の一方のシーム部１４の内端から他方のシーム部１４の内端までの距離をＰＷと規定している。各領域の縦方向Ｙの長さ寸法をＬとしている。
【００３９】
サンプルをオートグラフ（株式会社  島津製作所）のチャック間をＳＷに設定したものに固定し、チャック速度１００ｍｍ／ｍｉｎで、０．８７５×ＰＷの距離まで伸張させる。チャック間の距離が０．８７５×ＰＷとなった時点の収縮力を全体の伸張応力Ｆａ（Ｎ）とする。全体の伸張応力Ｆａ（Ｎ）／Ｌ×１０によりサンプルの１０ｍｍ幅あたりの伸張応力Ｆを求めた。
【００４０】
測定の結果、第１領域７１の伸張応力Ｆは約０．７３Ｎ／１０ｍｍ、第２領域７２の伸張応力Ｆは約０．９３Ｎ／１０ｍｍ、第３領域７３の伸張応力Ｆは約０．７８Ｎ／１０ｍｍであった。第１領域７１の伸張応力Ｆは約０．６０〜１．０５Ｎ／１０ｍｍ、第２領域７２の伸張応力Ｆは約０．８０〜１．４５Ｎ／１０ｍｍ、第３領域７３の伸張応力Ｆは約０．６０〜１．２０Ｎ／１０ｍｍであって、第１領域７１の伸張応力は、第２領域７２の伸張応力の約７０〜９０％、好ましくは約７５〜８５％にすることができる。第２領域７２の伸張応力は、第３領域７３のそれよりも約１５〜５０％、この実施態様では約２０％大きくされている。
【００４１】
図６および図７は、おむつ１０を乳幼児等の着用者に着用させるときの一例を示した図である。着用者におむつ１０を穿かせようとした場合には、母親等の介助者がおむつ１０の前後ウエスト端縁２２，３２を両手１で挟持するとともに、親指２をおむつ１０の内側、すなわち身体側に挿入し、これら親指２を横方向Ｘに離間させることによって、おむつ１０を横方向Ｘに広げてウエスト開口を大きくして使用することが考えられる。前後ウエスト端縁２２，３２を横方向Ｘに広げる場合、第１領域７１の伸張応力を第２領域７２のそれよりも小さくしているので、第１領域７１が位置する前後ウエスト端縁２２，３２近傍が広げ易い。また、上記のように第１領域７１を横方向Ｘに引っ張ると、前後ウエスト端縁２２，３２が、吸液構造体４１の構造体前後端縁４１ａ，４１ｂに沿って折れ曲がりやすくなる。特に、親指２をおむつ１０内に挿入して、これを横方向Ｘに引っ張った場合には、前後ウエスト端縁２２，３２はおむつ１０の外側に向かって折れ曲がりやすい。
【００４２】
第１領域７１には、第２領域７２に取り付けられた第２ウエスト弾性体８２よりも細い第１ウエスト弾性体８１を取り付けることとしているので、第２領域７２に比べて伸張応力を小さくすることができ、横方向Ｘに引っ張りやすくすることができる。また、第１領域７１は、吸液構造体４１の構造体前後端縁４１ａ，４１ｂを境にシートの積層枚数が異なることによって剛性が変化するから、第１および第２ウエスト域１１，１２は、構造体前後端縁４１ａ，４１ｂに沿って曲がりやすい。吸液構造体４１は、シャーシの内側である身体側に配置されているから、その剛性によって折れ曲がった第１領域７１は、シャーシの外側である着衣側に折れ曲がりやすい。
【００４３】
ウエスト弾性体８０は、ホットメルト接着剤等の接合手段によって、間欠的に内外面シート２４,２５および３４,３５の間に取り付けられている。したがって、内外面シート２４,２５および３４,３５の剛性を極度に増大させることがない。第１領域７１は、これら内外面シート２４，２５および３４，３５によって構成されているから、その柔軟性を維持することができ、吸液構造体４１が取り付けられた他の領域との剛性差が大きくなって、より一層、第１領域７１は構造体前後端縁４１ａ，４１ｂに沿って曲がりやすくなる。また、第１ウエスト弾性体８１の伸長率が第２ウエスト弾性体８２のそれよりも大きくなるようにしているので、第１領域７１における横方向Ｘの伸縮による変化量を第２領域７２のそれよりも大きくすることができ、第１領域７１は、より横方向Ｘに広がりやすく、かつ、折れ曲がりやすくすることができる。
【００４４】
上記のように第１領域７１が折れ曲がった状態でおむつ１０を着用者に穿かせて着用させることができるので、着用者の脚が前後ウエスト端縁２２，３２に引っかかったりすることがなく、穿かせやすい。また、折れ曲がった第１領域７１を掴んでおむつ１０を引き上げることができるので、容易におむつ１０を所望の位置に配置させることができる。
【００４５】
図７に示したように、おむつ１０を図６の位置からさらに横方向Ｘ外側に引っ張ると、前後ウエスト域１１，１２は、第２領域７２において、コア前後端縁４２ａ，４２ｂに沿って折れ曲がりやすくなる。第２領域７２は、コア前後端縁４２ａ，４２ｂを境に剛性が変化するから、第１および第２ウエスト域１１，１２は、コア前後端縁４２ａ，４２ｂに沿って曲がりやすい。
【００４６】
おむつ１０が第２領域７２に沿って折れ曲がることで、前後ウエスト域１１，１２の縦方向Ｙの長さ寸法を実質的に短くすることができ、着用者の脚をレッグ開口１６に通しやすくすることができる。前後ウエスト域１１，１２の縦方向Ｙの長さ寸法を短くして、おむつ１０を引き上げることができるから、おむつ１０のクロッチ域１３を着用者の股に密着させやすい。
【００４７】
前後ウエスト域１１，１２の縦方向Ｙの長さ寸法を実質的に短くすることができるから、前後ウエスト域１１，１２の全域に亘って横方向Ｘに広げることができる。すなわち、第１および第２領域７１，７２のみならず、第３領域７３をも広げることができる。特に、第３領域７３の伸張応力は、第２領域７２のそれよりも小さくされているので、第２領域７２の広がりに追従して広がりやすい。また、ガスケットカフ弾性体５１は、前後ウエスト部材２０，３０の前後クロッチ端縁２３，３３から離間されているので、ガスケットカフ弾性体５１によって第３領域７３の横方向Ｘの広がりが阻害されることがない。すなわち、ガスケットカフ弾性体５１は縦方向Ｙに収縮可能に取り付けられているが、この収縮力が第３領域７３に大きく作用する場合には、第３領域７３は横方向Ｘに広げ難くなるが、このような不都合を招くことがない。
【００４８】
おむつ１０は、仮想横中心線Ｑ−Ｑに対称に形成されているから、前後ウエスト端縁２２，３２を一致させてシーム部１４を形成された場合には、構造体前後端縁４１ａ，４１ｂおよびコア前後端縁４２ａ，４２ｂを横方向Ｘに一致させ、これらを環状にすることができ、前後ウエスト域１１，１２は、これらに沿って折れ曲がりやすくすることができる。また、第３ウエスト弾性体８３は、構造体前後端縁４１ａ，４１ｂに重なることなく、離間して取り付けられている。仮に、ウエスト弾性体と構造体前後端縁４１ａ，４１ｂとが一致している場合には、前後ウエスト域１１，１２が構造体前後端縁４１ａ，４１ｂに沿って妄りに折れ曲がりやすくなり、特に、着用者の腹部に食い込むようにして前ウエスト域１１が着用時に外側に折れ曲がってしまう可能性がある。しかし、この実施形態では、ウエスト弾性体８３と構造体前後端縁４１ａ，４１ｂとを一致させないようにすることによって、着用時におけるこれら折れ曲がりを防止することができる。
【００４９】
この発明は、おむつ１０の縦方向Ｙの長さ寸法が小さい、特に乳幼児に最適なおむつを対象とすることができる。おむつ１０の縦方向Ｙの長さ寸法を小さくした場合であっても、尿等の吸収量が少なくならないように、吸液構造体４１は小さくしないようにすることが好ましい。そうすると、おむつ１０に対する吸液構造体４１の占める割合が大きくなり、特に、前後ウエスト域１１，１２においては縦方向Ｙの長さ寸法の約７０〜９８％を吸液構造体４１が占めるようになる。吸液構造体４１はその剛性が一般的に大きいから、吸液構造体４１が占める割合が大きくなると、おむつ１０を横方向Ｘに広げ難く、着用者にはかせにくくなる。しかし、この実施態様では、ウエスト開口に近い第１領域７１の伸張応力を小さくすることによって、横方向Ｘに広げ易く、着用者である幼児にはかせ易くすることができる。
【００５０】
この発明のおむつ１０の縦方向Ｙの長さ寸法は、約３８０〜５２０ｍｍであり、好ましくは約４００〜４５０ｍｍ、この実施態様では４００ｍｍとしている。同様にクロッチ部材４０の縦方向Ｙの長さ寸法は、約３５０〜４５０ｍｍ、好ましくは約３７０〜４３０ｍｍ、この実施態様では約３８０ｍｍとしている。前ウエスト域１１を形成する前ウエスト部材２０の縦方向Ｙの長さ寸法は約８０〜１３０ｍｍ、好ましくは約８５〜１２５ｍｍ、この実施態様では約９０ｍｍである。後ウエスト域１２を形成する後ウエスト部材３０の縦方向Ｙの長さ寸法は約８０〜１９０ｍｍ、好ましくは約８５〜１８５ｍｍ、この実施態様では約９０ｍｍである。
【００５１】
前後ウエスト部材２０，３０を横方向Ｘに弾性化するために、複数条の弾性糸を用いているが、これに限られることなく、帯状の弾性体等の種々の弾性体を用いることができる。同様に、ガスケットカフ弾性体５１およびバリアカフ弾性体６１も、種々の弾性体を用いることができる。コア４２として、中間部の横方向Ｘの長さ寸法が、前後部のそれよりも小さいものを用いているが、横方向Ｘの長さ寸法がすべて同寸法のものを用いることも可能である。
【００５２】
おむつ１０は、仮想横中心線Ｑ−Ｑに対称となるようにされているが、このようにすることによって、前後ウエスト域１１，１２の区別なく用いることができる。すなわち、この実施形態で前ウエスト域１１を着用者の腹側および背側のいずれに位置するように用いてもよい。したがって、着用の際におむつ１０の前後を確認することなく着用することができる。しかし、おむつ１０としては、仮想横中心線Ｑ−Ｑに対称のものに限定するものではなく、非対称のものであってもよい。例えば、後ウエスト域１２を構成する後ウエスト部材３０において、後クロッチ端縁３３よりもさらにクロッチ域１３側に延出し着用者の臀を覆うようなカバーを形成しているようなものであってもよい。
【００５３】
第１〜第３ウエスト弾性体８１〜８３は、その全てが一方の側縁２１，３１から他方の側縁２１，３１まで連続して取り付けられているが、これに限られるものではない。例えば、コア４２に重なる領域においては、弾性体が取り付けられないような構成にすることもできし、弾性体の収縮力を減殺させるような構成にすることもできる。このように、横方向Ｘにおいてウエスト弾性体の収縮力が間欠的に作用する場合には、その伸長率は、次の式によって計算される。すなわち、伸長率＝｛（一方の側縁２１，３１から他方の側縁２１，３１までの横方向Ｘの長さ寸法）／（間欠的に配置されたウエスト弾性体の非伸長状態での長さ寸法Ａ）×１００｝という式で計算される。式中の長さＡは、｛（ウエスト弾性体が取り付けられている領域の横方向Ｘの長さ寸法）／（ウエスト弾性体の伸長率）＋（ウエスト弾性体による収縮力が減殺された領域の横方向Ｘの長さ寸法）｝によって求めることができる。
【００５４】
この実施形態では、前後ウエスト域１１，１２は、第１〜第３領域７１〜７３に区画されているが、第３領域７３は必須の構成要素ではなく、少なくとも伸張応力の異なる第１および第２領域が隣接されていればよい。
おむつ１０を構成する各構成部材には、本明細書に記載されている材料のほかに、この種の分野において通常用いられている、各種の公知の材料を制限なく用いることができる。
【符号の説明】
【００５５】
１０    おむつ（着用物品）
１１    前ウエスト域
１２    後ウエスト域
１３    クロッチ域
１５    ウエスト開口
１６    レッグ開口
２０    前ウエスト部材（シャーシ）
２１    両側縁
２２    前ウエスト端縁
２３    前クロッチ端縁
３０    後ウエスト部材（シャーシ）
３１    両側縁
３２    後ウエスト端縁
３３    後クロッチ端縁
４０    クロッチ部材（シャーシ）
４１    吸液構造体
４１ａ  構造体前端縁
４１ｂ  構造体後端縁
４２    コア
４３    吸収面シート（被覆シート）
４５    底面シート（被覆シート）
４６    前フラップ
４７    後フラップ
５０    ガスケットカフ
５１    ガスケットカフ弾性体
５１ａ  前端部
５１ｂ  後端部
７１    第１領域
７２    第２領域
７３    第３領域
８０    ウエスト弾性体
８１    第１ウエスト弾性体
８２    第２ウエスト弾性体
Ｘ      横方向
Ｙ      縦方向
【図１】
0005480018.tif 000002
【図２】
0005480018.tif 000003
【図３】
0005480018.tif 000004
【図４】
0005480018.tif 000005
【図５】
0005480018.tif 000006
【図６】
0005480018.tif 000007
【図７】
0005480018.tif 000008